(57)【要約】【課題】  多数の不要な無線タグが存在し続けても、近接した他の無線タグへ電磁波干渉を及ぼすことがなく、外部装置に多大な負荷を与えることがなく、また、個人情報や機密情報に関連する情報が、第三者に不当に読み取られる恐れがなく、さらに、イベント開催期間等、一定期間のみ無線タグを使用可能とすることができる無線タグを提供することを目的とするものである。【解決手段】外部装置から供給される電磁波から、電力と信号とを受信し、上記受信した電力と信号とに対して応答信号を送信する受動型の無線タグであって、外部装置から特定の信号を受信すると、回路構成を非可逆的に変更する無線タグである。【選択図】  図１
2006058928.tif 000002
【特許請求の範囲】
【請求項１】
外部装置から供給される電磁波から、電力と信号とを受信し、上記受信した電力と信号とに対して応答信号を送信する受動型の無線タグであって、
外部装置から特定の信号を受信すると、回路構成を非可逆的に変更することを特徴とする無線タグ。
【請求項２】
請求項１において、
上記外部装置から特定の信号を受信すると、電力、信号のうちの少なくとも１つの受信回路を非可逆的に遮断することによって回路全体を動作不可能にすることを特徴とする無線タグ。
【請求項３】
請求項１において、
上記外部装置から特定の信号を受信すると、電源回路または電力線を非可逆的に遮断することによって、回路を動作不可能にすることを特徴とする無線タグ。
【請求項４】
請求項１において、
上記外部装置から特定の信号を受信すると、送信回路を非可逆的に遮断することによって応答信号を送信不可能にすることを特徴とする無線タグ。
【請求項５】
請求項１において、
上記外部装置から特定の信号を受信すると、初期状態では遮断されていた送信回路を非可逆的に導通することによって、応答信号を送信可能にすることを特徴とする無線タグ。
【請求項６】
請求項１において、
上記外部装置から受信する特定の信号は、第１の信号と第２の信号とであり、
上記外部装置から、上記第１の信号を受信すると、初期状態では遮断されていた送信回路を非可逆的に導通することによって、応答信号を送信可能にし、
上記外部装置から、上記第２の信号を受信すると、電力、信号のうちの少なくとも１つの受信回路を非可逆的に遮断するか、電源回路または電力線を非可逆的に遮断することによって、回路を動作不可能にするか、送信回路を非可逆的に遮断することによって応答信号を送信不可能にすることを特徴とする無線タグ。
【請求項７】
請求項１において、
上記外部装置から特定の信号を受信すると、初期状態では導通していた不揮発メモリへの信号線の一部を、非可逆的に遮断することによって、無線タグが記憶する情報の一部をアクセス不可能にすることを特徴とする無線タグ。
【請求項８】
請求項２〜請求項４のいずれか１項において、
上記回路を非可逆的に遮断する手段は、一定以上の電流を流すと、自己発熱によって破壊される電気素子であることを特徴とする無線タグ。
【請求項９】
請求項２〜請求項６のいずれか１項において、
上記回路を非可逆的に遮断または導通する手段は、一定以上の温度になると、非可逆的に変形する熱変形樹脂を配線の一部に取り付け、上記熱変形樹脂に接する位置に、発熱素子を取り付け、上記発熱素子に電流を流すことによって、上記発熱素子を熱し、その熱によって熱変形樹脂を非可逆的に変形させ、熱変形樹脂の変形によって配線の一部を切断または接触させる手段であることを特徴とする無線タグ。
【請求項１０】
請求項２〜請求項６のいずれか１項において、
上記回路を非可逆的に遮断または導通する手段は、一方向にしか切り換えできないラッチ機構付きのマイクロスイッチであることを特徴とする無線タグ。
【請求項１１】
請求項１〜請求項１０のいずれか１項において、
上記外部装置から供給される電磁波は、交流磁界であり、上記無線タグがコイルを用いて交流磁界から電力と信号を受信することを特徴とする無線タグ。
【請求項１２】
請求項１〜請求項１０のいずれか１項において、
上記外部装置から供給される電磁波は、電波であり、無線タグがアンテナを用いて電波から電力と信号とを受信することを特徴とする無線タグ。
【請求項１３】
外部装置から供給される電磁波から電力と信号とを受信し、それに対して応答信号を送信する受動型の無線タグであって、
時刻または経過時間を測定する時刻測定手段と；
所定時刻に達した場合に、回路の一部を変更する回路変更手段と；
上記時刻測定手段と上記回路変更手段とにのみ、電力を供給する特定電源と；
を有することを特徴とする無線タグ。
【請求項１４】
請求項１３において、
上記所定の時刻に達した場合、または一定周期の時間が経過した場合、それまで遮断していた不揮発メモリへの信号線の一部を導通することによって、上記無線タグが記憶する情報の一部をアクセス可能にすることを特徴とする無線タグ。
【請求項１５】
請求項１３において、
上記所定の時刻に達した場合、または一定周期の時間が経過した場合、それまで遮断していた送信回路を導通することによって、応答信号を送信可能にすることを特徴とする無線タグ。
【請求項１６】
請求項１３において、
上記所定の時刻に達した場合、または一定周期の時間が経過した場合、それまで遮断していた受信回路を導通することによって、回路全体を動作可能にすることを特徴とする無線タグ。
【請求項１７】
請求項１３において、
上記所定の時刻に達した場合、または一定周期の時間が経過した場合、それまで導通していた不揮発メモリへの信号線の一部を遮断することによって、上記無線タグが記憶する情報の一部をアクセス不可能にすることを特徴とする無線タグ。
【請求項１８】
請求項１３において、
上記所定の時刻に達した場合、または一定周期の時間が経過した場合、それまで導通していた送信回路を遮断することによって、応答信号を送信不可能にすることを特徴とする無線タグ。
【請求項１９】
請求項１３において、
上記所定の時刻に達した場合、または一定周期の時間が経過した場合、それまで導通していた受信回路を遮断することによって、回路全体を動作不可能にすることを特徴とする無線タグ。
【請求項２０】
請求項１３において、
上記所定の時刻は、第１の時刻と第２の時刻とであり、
上記第１の時刻が上記第２の時刻よりも先である場合、上記第１の時刻に達すると、上記所定の時刻に達した場合、または一定周期の時間が経過した場合、それまで遮断していた不揮発メモリへの信号線の一部を導通することによって、上記無線タグが記憶する情報の一部をアクセス可能にする第１の処理、上記所定の時刻に達した場合、または一定周期の時間が経過した場合、それまで遮断していた送信回路を導通することによって、応答信号を送信可能にする第２の処理、上記所定の時刻に達した場合、または一定周期の時間が経過した場合、それまで遮断していた受信回路を導通することによって、回路全体を動作可能にする第３の処理のうちのいずれか１つの処理を実行し、
一方、上記第２の時刻に達すると、上記所定の時刻に達した場合、または一定周期の時間が経過した場合、それまで導通していた不揮発メモリへの信号線の一部を遮断することによって、上記無線タグが記憶する情報の一部をアクセス不可能にする第４の処理、上記所定の時刻に達した場合、または一定周期の時間が経過した場合、それまで導通していた送信回路を遮断することによって、応答信号を送信不可能にする第５の処理、上記所定の時刻に達した場合、または一定周期の時間が経過した場合、それまで導通していた受信回路を遮断することによって、回路全体を動作不可能にする第６の処理のうちのいずれか１つの処理を実行することを特徴とする無線タグ。
【請求項２１】
請求項１３において、
一周期が経過する毎に、
上記所定の時刻に達した場合、または一定周期の時間が経過した場合、それまで遮断していた不揮発メモリへの信号線の一部を導通することによって、上記無線タグが記憶する情報の一部をアクセス可能にする第１の処理、上記所定の時刻に達した場合、または一定周期の時間が経過した場合、それまで遮断していた送信回路を導通することによって、応答信号を送信可能にする第２の処理、上記所定の時刻に達した場合、または一定周期の時間が経過した場合、それまで遮断していた受信回路を導通することによって、回路全体を動作可能にする第３の処理のうちのいずれか１つの処理と、
上記所定の時刻に達した場合、または一定周期の時間が経過した場合、それまで導通していた不揮発メモリへの信号線の一部を遮断することによって、上記無線タグが記憶する情報の一部をアクセス不可能にする第４の処理、上記所定の時刻に達した場合、または一定周期の時間が経過した場合、それまで導通していた送信回路を遮断することによって、応答信号を送信不可能にする第５の処理、上記所定の時刻に達した場合、または一定周期の時間が経過した場合、それまで導通していた受信回路を遮断することによって、回路全体を動作不可能にする第６の処理のうちのいずれか１つの処理と、
を順番に繰り返すことを特徴とする無線タグ。
【請求項２２】
請求項１３〜請求項２１のいずれか１項において、
上記回路変更手段は、ＭＥＭＳ（ＭｉｃｒｏＥｌｅｃｔｒｏＭｅｃｈａｎｉｃａｌ  Ｓｙｓｔｅｍｓ）スイッチであることを特徴とする無線タグ。
【請求項２３】
外部装置から供給される電磁波から、電力と信号とを受信し、この受信に対して応答信号を送信する受動型の無線タグであって、
外部から一定レベル以上の刺激を検出する刺激検出手段と；
上記刺激を利用して、回路構成を非可逆的に変更する回路構成変更手段と；
を有することを特徴とする無線タグ。
【請求項２４】
請求項２３において、
上記回路構成変更手段は、上記刺激を利用して、回路動作に必要な配線の一部を非可逆的に切断することによって回路全体を動作不可能にする手段であることを特徴とする無線タグ。
【請求項２５】
請求項２３において、
上記回路構成変更手段は、上記刺激を利用して、初期状態では回路動作を阻害していた短絡配線を非可逆的に切断することによって回路全体を動作可能にする手段であることを特徴とする無線タグ。
【請求項２６】
請求項２３において、
上記回路構成変更手段は、上記刺激を利用して、初期状態では導通していた不揮発メモリへの信号線の一部を非可逆的に切断することによって無線タグが記憶する情報の一部をアクセス不可能にする手段であることを特徴とする無線タグ。
【請求項２７】
請求項２４〜請求項２６のいずれか１項において、
外部から一定レベル以上の圧力、振動または衝撃を受けると、上記圧力、振動または衝撃によって切断される配線または電気素子が用いられていることを特徴とする無線タグ。
【請求項２８】
請求項２４〜請求項２６のいずれか１項において、
一定レベル以上の温度に達すると自然発火する発火装置を、配線の一部に取り付け、外部から一定レベル以上の熱を受けると、上記発火装置が発火することによって配線の一部を切断させることを特徴とする無線タグ。
【請求項２９】
請求項２４〜請求項２６のいずれか１項において、
一定レベル以上の温度に達すると非可逆的に変形する熱変形樹脂を、配線の一部に取り付け、外部から一定レベル以上の熱を受けると、上記熱変形樹脂が変形することによって配線の一部を切断させることを特徴とする無線タグ。
【発明の詳細な説明】
【技術分野】
【０００１】
本発明は、外部装置から供給される電磁波から電力と信号とを受信し、この受信した電力と信号とに対して、応答信号を送信する受動型の無線タグに関する。
【背景技術】
【０００２】
無線タグの別称または類似技術品として、無線周波数識別タグ、ＲＦＩＤ、ＲＦ−ＩＤ、ＲＦタグ、非接触タグ、非接触ＩＤ、非接触ＩＣカード、非接触ＩＣチップ、非接触メモリカード等があるが、これらは全て同様の機能を提供するものであり、以下では、これらをまとめて、「無線タグ」と呼ぶ。
【０００３】
外部装置から供給された電磁波によって動作する受動型の無線タグは、小型化技術の進展に伴い、近年、その応用分野を急速に拡大しつつある。
【０００４】
非接触ＩＣカード型の定期券やエントランスカード等が、よく知られている。また、シールに内蔵された無線タグを、物品に貼り付け、その物品の配置場所または部屋の出入り口付近に設置されている外部装置（読取書込装置）が、上記無線タグの存在と情報とを、自動的に検出し、物品の無断持ち出しや盗難を防ぐために、無線タグが使用されることがある。さらに、バーコードに代わる次世代の物品識別技術として、サプライチェーンマネジメントの全ての段階（生産段階、流通段階、販売段階）で、効率的な物品管理に役立てるために、上記無線タグを使用しようとする構想が示されている。
【０００５】
図２０は、従来の無線タグＴ２０の概略構成を示す図である。
【０００６】
外部装置９０と無線タグＴ２０とが電磁結合によって、給電および交信する。電磁結合の説明を行うために、図２０には、外部装置９０の送信回路９２、受信回路９３も示してある。
【０００７】
外部装置９０の送信回路９２は、一定周波数（搬送周波数）の交流電流を、伝送すべき情報信号によって変調した送信電流を、コイル９１に流す。コイル９１は、送信電流によって交流磁界を発生し、電磁結合によって、無線タグＴ２０のコイル１に励起電圧を発生させる。
【０００８】
無線タグＴ２０のコイル１とコンデンサ２とは、並列接続され、共振回路を形成し、外部装置９０が使用する搬送周波数に共振するように設計されている。コイル１に共振周波数の励起電圧が発生すると、共振回路とその後段とに並列に接続されている電源回路３と、受信回路４と、送信回路５とに、交流電流が流れる。
【０００９】
電源回路３は、その内部に、不図示の整流回路や平滑化回路を備え、整流回路を用いて交流電流を整流し、さらに平滑化回路を用いて、整流後の電流から脈波成分を除去し、一定電圧の直流電流（電力）を作り出す。電源回路３が作成した電力は、無線タグＴ２０内で電力を必要とする全ての回路に、供給される。
【００１０】
受信回路４は、その内部に、不図示の周波数フィルタを備え、周波数フィルタを用いて、交流電流から搬送周波数成分とノイズ成分とを取り除き、情報信号を復元する。
【００１１】
制御回路６は、受信回路４から情報信号を受け取り、必要に応じて、メモリ７の制御と、送信回路５の制御とを行う。
【００１２】
メモリ７は、ＲＯＭ（読出し専用メモリ）が必ず具備するが、Ｆｌａｓｈ  ＲＯＭ（書き換え可能な不揮発メモリ）は、必要がある場合にのみ、具備する。メモリ７にＦｌａｓｈ  ＲＯＭが含まれる場合は、Ｆｌａｓｈ  ＲＯＭ書き換え用の比較的高い電圧が必要になるので、この電圧を発生するための電圧変換回路が、電源回路３内部に追加で必要になる。
【００１３】
無線タグＴ２０が提供する最も基本的な機能は、無線タグＴ２０が記憶している情報（識別情報や追加情報等）を、外部装置９０に、応答信号として送信する機能である。この場合、制御回路６は、メモリ７のＲＯＭから、無線タグＴ２０が記憶している情報を読み出し、送信回路５を用いて応答信号を送信する。
【００１４】
送信回路５は、制御回路６から出力された応答信号を、交流電流で変調し、返信電流を作成し、コイル１に流す。コイル１は、交流磁界を発生し、外部装置９０のコイル９１を励起する。コイル９１で受信した信号を、受信回路９３が復元する。
【００１５】
なお、無線タグＴ２０の送信回路５で使用する交流電流は、外部装置９０が発生した交流磁界に基づく交流電流（変調周波数を持つ）から、不図示の周波数フィルタを用いて搬送周波数成分のみ取り出した交流電流を用いるか、または、さらに、不図示の周波数変換回路を用いて、搬送周波数を変更した交流電流を用いるようにしてもよい。ただし、いずれの場合も、無線タグＴ２０の送信回路５の変調方法と、外部装置９０の受信回路の復調方法が一致している必要がある。
【００１６】
上記構成によって、従来技術では無線タグＴ２０のメモリ７から情報を読み出し、場合によっては、メモリ７のＦｌａｓｈ  ＲＯＭに情報を書き込むことができる。
【００１７】
しかし、上記従来技術による無線タグは、外部装置９０から電磁波によって電力を供給されると、常に動作するように作られているので、動作させたくない場合でも動作してしまうという問題がある。
【００１８】
つまり、所定の条件を満たしたものだけを、動作可能にし、または動作不可能にしたくても、その要求に応じることができない。このために、次に例示する問題（１）〜（４）が生じる。
【００１９】
問題（１）：使用期間を過ぎた無線タグ、または使用目的を失った無線タグの動作を終了させることができないので、多数の不要な無線タグが存在し続け、近接した他の無線タグへ電磁波干渉を及ぼす。
【００２０】
問題（２）：上記問題（１）と同様の理由によって、多数の不要な無線タグが存在し続けることになり、外部装置９０に多大な負荷を与える。つまり、外部装置９０は、一定距離内に存在する全ての無線タグから返信された応答信号を、ほぼ同時に処理しなければならないので、無線タグ数が増大するにつれて、処理の負荷が高まる。
【００２１】
問題（３）：無線タグに含まれる情報を、完全に消去または隠蔽できないので、個人情報や機密情報に関連する情報が、第三者に不当に読み取られる恐れがある。
【００２２】
問題（４）：イベント開催期間等、一定期間のみ無線タグを使用可能とすることができない。
【００２３】
ところで、従来、無線タグの情報を読み出し不可能にするための手段として、データヒューズが知られている(たとえば、特許文献１参照)。
【００２４】
また、外部装置９０が備える無線タグのデータベースを更新することによって、無線タグを仮想的に非活性化する手段（手段Ａ）、または、無線タグが備える電界効果トランジスタ（ＦＥＴ）を電気的にスイッチングすることによって、無線タグを電気的に非活性化する手段（手段Ｂ）が知られている(たとえば、特許文献２参照)。
【特許文献１】特開２０００−３２２５２８号公報
【特許文献２】特表２００１−５１１５７４号公報
【発明の開示】
【発明が解決しようとする課題】
【００２５】
しかし、特許文献１には、読み出し不可能にした情報を、後ほど、再び読み出し可能にするとの記述もあるので、一般的な実装技術から想像できるのは、メモリに書換可能メモリを備え、その書換可能メモリ上にメモリ全体のアクセス許可ビットを記録しておく方法である。書換可能メモリとして、不揮発メモリ（たとえばＦｌａｓｈ  ＲＯＭ）を使用すれば、外部装置９０から電力が供給されていない間でも、アクセス許可ビットは保持される。
【００２６】
しかし、特許文献１記載の発明では、上記問題（２）、（４）を解決できる可能性はあるが、上記問題（１）、（３）を解決することができない。つまり、無線タグは応答信号を返信しなくなる可能性はあるが、外部装置９０からの電力受給と信号受信とは常に行い、外部装置９０からの電力受給を行う限り、近接した他の無線タグへの電磁波干渉を無くすことはできない。したがって、上記問題（１）を解決することができない。また、外部装置９０からの信号受信を行う限り、アクセス許可ビットの書換は可能であるので、上記問題（３）も解決することができない。
【００２７】
また、特許文献２に記載されている手段Ａを用いた方法では、上記問題（１）〜（３）のいずれも解決できないし、手段Ｂを用いた方法では、問題（１）、（３）を解決することができない。さらに、手段Ｂを用いた方法では、ＦＥＴを電気的にスイッチングしているので、外部装置９０からの電力供給が途切れると、ＦＥＴのスイッチング情報も失われるという問題があり、実際の運用上では、上記問題（１）〜（３）のいずれをも解決することができない。
【００２８】
上記問題（１）〜（３）は、無線タグの仮想的または一時的な変更では十分に解決できない。無線タグを完全に破壊できるような手段が必要である。
【００２９】
本発明は、多数の不要な無線タグが存在し続けても、近接した他の無線タグへ電磁波干渉を及ぼすことがなく、外部装置に多大な負荷を与えることがなく、また、個人情報や機密情報に関連する情報が、第三者に不当に読み取られる恐れがなく、さらに、イベント開催期間等、一定期間のみ無線タグを使用可能とすることができる無線タグを提供することを目的とするものである。
【課題を解決するための手段】
【００３０】
本発明は、外部装置から供給される電磁波から、電力と信号とを受信し、上記受信した電力と信号とに対して応答信号を送信する受動型の無線タグであって、外部装置から特定の信号を受信すると、回路構成を非可逆的に変更する無線タグである。
【００３１】
また、外部装置から供給される電磁波から電力と信号とを受信し、それに対して応答信号を送信する受動型の無線タグであって、時刻または経過時間を測定する時刻測定手段と、所定時刻に達した場合に、回路の一部を変更する回路変更手段と、上記時刻測定手段と上記回路変更手段とにのみ、電力を供給する特定電源とを有することを特徴とする無線タグである。
【００３２】
また、外部装置から供給される電磁波から、電力と信号とを受信し、この受信に対して応答信号を送信する受動型の無線タグであって、外部から一定レベル以上の刺激を検出する刺激検出手段と、上記刺激を利用して、回路構成を非可逆的に変更する回路構成変更手段とを有することを特徴とする無線タグである。
【発明の効果】
【００３３】
本発明によれば、多数の不要な無線タグが存在し続けても、近接した他の無線タグへ電磁波干渉を及ぼすことがなく、外部装置に多大な負荷を与えることがなく、また、個人情報や機密情報に関連する情報が、第三者に不当に読み取られる恐れがなく、さらに、イベント開催期間等、一定期間のみ無線タグを使用可能とすることができるという効果を奏する。
【発明を実施するための最良の形態】
【００３４】
発明を実施するための最良の形態は、次の実施例である。
【実施例１】
【００３５】
図１は、本発明の実施例１である無線タグＴ１を示す図である。
【００３６】
無線タグＴ１は、コイル１と、コンデンサ２と、電源回路３と、受信回路４と、送信回路５と、制御回路６と、メモリ７と、スイッチ１０とを有する。
【００３７】
無線タグＴ１のコイル１とコンデンサ２とは、並列接続され、共振回路を形成し、外部装置９０が使用する搬送周波数に共振するように設計されている。コイル１に共振周波数の励起電圧が発生すると、共振回路とその後段とに並列に接続されている電源回路３と、受信回路４と、送信回路５とに、交流電流が流れる。
【００３８】
電源回路３は、その内部に、不図示の整流回路や平滑化回路を備え、整流回路を用いて交流電流を整流し、さらに平滑化回路を用いて、整流後の電流から脈波成分を除去し、一定電圧の直流電流（電力）を作り出す。電源回路３が作成した電力は、無線タグＴ１内で電力を必要とする全ての回路に、供給される。
【００３９】
受信回路４は、その内部に、不図示の周波数フィルタを備え、周波数フィルタを用いて、交流電流から搬送周波数成分とノイズ成分とを取り除き、情報信号を復元する。
【００４０】
制御回路６は、受信回路４から情報信号を受け取り、必要に応じて、メモリ７の制御と、送信回路５の制御とを行う。
【００４１】
メモリ７は、ＲＯＭ（読出し専用メモリ）が必ず具備するが、Ｆｌａｓｈ  ＲＯＭ（書き換え可能な不揮発メモリ）は、必要がある場合にのみ、具備する。メモリ７にＦｌａｓｈ  ＲＯＭが含まれる場合は、Ｆｌａｓｈ  ＲＯＭ書き換え用の比較的高い電圧が必要になるので、この電圧を発生するための電圧変換回路が、電源回路３内部に追加で必要になる。
【００４２】
無線タグＴ１が提供する最も基本的な機能は、無線タグＴ１が記憶している情報（識別情報や追加情報等）を、外部装置９０に、応答信号として送信する機能である。この場合、制御回路６は、メモリ７のＲＯＭから、無線タグＴ１が記憶している情報を読み出し、送信回路５を用いて応答信号を送信する。
【００４３】
送信回路５は、制御回路６から出力された応答信号を、交流電流で変調し、返信電流を作成し、コイル１に流す。コイル１は、交流磁界を発生し、外部装置９０のコイル９１を励起する。コイル９１で受信した信号を、受信回路９３が復元する。
【００４４】
なお、無線タグＴ１の送信回路５で使用する交流電流は、外部装置９０が発生した交流磁界に基づく交流電流（変調周波数を持つ）から、不図示の周波数フィルタを用いて搬送周波数成分のみ取り出した交流電流を用いるか、または、さらに、不図示の周波数変換回路を用いて、搬送周波数を変更した交流電流を用いるようにしてもよい。ただし、いずれの場合も、無線タグＴ１の送信回路５の変調方法と、外部装置９０の受信回路の復調方法が一致している必要がある。
【００４５】
上記構成によって、無線タグＴ１のメモリ７から情報を読み出し、場合によっては、メモリ７のＦｌａｓｈ  ＲＯＭに情報を書き込むことができる。
【００４６】
スイッチ１０は、初期状態がＯＮであり、制御回路６の制御によって非可逆的にＯＦＦになる。
【００４７】
外部装置９０から送信される情報信号は、少なくとも２種類の信号を含む。一方の信号は、無線タグＴ１が保持する情報を問い合わせる質問信号であり、他方の信号は、無線タグＴ１の回路構成を非可逆的に変更する回路変更要求信号である。ただし、実施例１における回路変更要求信号は、無線タグＴ１を動作可能状態から動作不可能状態にするための遮断要求信号である。
【００４８】
無線タグＴ１の制御回路６が、情報信号を受信すると、まず情報信号の種類を判断する。情報信号が、質問信号であれば、応答信号を送信する。
【００４９】
一方、情報信号が、遮断要求信号であれば、制御回路６から制御信号を出力することによって、スイッチ１０を、非可逆的にＯＦＦにする。スイッチ１０がＯＦＦになると、それまで導通していたコイル１と他の回路との間の信号線が遮断されるので、無線タグＴ１は、電気的な動作（電力受給や情報信号受信等）が一切不可能になり、動作可能状態から動作不可能状態に移行する。
【００５０】
なお、スイッチ１０の配置場所は、コイル１と他の回路との間でなくてもよく、コイル１の途中、コンデンサ２に直列に隣接する位置、電源回路３の内部、電源回路３から出力される電力線上等に配置しても、上記と同様の効果を得ることができる。
【００５１】
ただし、スイッチ１０を、電源回路３の内部または電源回路３から出力される電力線上に配置した場合、無線タグＴ１の回路全体に電力が供給されなくなることによって、無線タグＴ１が動作不可能状態になる。この場合、電源回路３の一部と受信回路４の一部とが、不完全ながら動作を続ける可能性があるので、図１に示す位置、コイル１の途中、コンデンサ２に直列に隣接する位置のいずれかに、スイッチ１０を配置することが好ましい。
【００５２】
また、スイッチ１０を用いる代わりに、コンデンサ２自身を過電流によって破壊可能なものを設けてもよく、これによって、コンデンサ２にスイッチ１０の機能を兼ね備えさせることができる。
【００５３】
次に、スイッチ１０の実現方法について説明する。
【００５４】
図２は、スイッチ１０の第１の実現方法を示す図である。
【００５５】
スイッチ１０は、図２（１）に示すように、ヒューズ１１によって構成され、ヒューズ１１は、過電流が流れると、自己発熱によって、図２（２）に示すように、切断する（溶けて切れるかまたは焼き切れる）。制御回路６が、遮断要求信号を受信すると、スイッチ１０に過電流を流すように、電源回路３に指示する。電源回路３は、不図示の電流増幅回路を使用することによって、スイッチ１０に過電流を流し、ヒューズ１１を非可逆的に切断する。
【００５６】
図３は、スイッチ１０の変形例であるスイッチ１０ａを示す図である。
【００５７】
スイッチ１０ａは、図３（１）に示すように、比較的切断しやすい導線１２と、発熱体１３と、熱変形樹脂１４とによって構成され、熱変形樹脂１４は、導線１２と発熱体１３とを覆っている。制御回路６が、遮断要求信号を受信すると、発熱体１３に電流を流すように、電源回路３に指示する。電源回路３は、電界効果トランジスタ（ＦＥＴ）等の電気的なスイッチ、またはＭＥＭＳ（ＭｉｃｒｏＥｌｅｃｔｒｏＭｅｃｈａｎｉｃａｌ  Ｓｙｓｔｅｍｓ）スイッチ等、電気機械的なスイッチを使用することによって、発熱体１３に電流を流し、発熱体１３を加熱する。発熱体１３が加熱されると、図３（２）に示すように、熱変形樹脂１４が非可逆的に変形し、導線１２を切断する。
【００５８】
熱変形樹脂１４の例として、熱収縮樹脂であるポリ塩化ビニル系樹脂、ポリエステル系樹脂、ポリオレフィン系樹脂、ポリスチレン系樹脂、フッ素系樹脂等が挙げられる。
【００５９】
ＭＥＭＳスイッチには、スイッチの駆動力による分類として、磁気駆動型、静電駆動型、圧電駆動型等があり、特に静電駆動型のＭＥＭＳスイッチが多数提案されている。
【実施例２】
【００６０】
図４は、本発明の実施例２である無線タグＴ２を示す図である。
【００６１】
無線タグＴ２は、無線タグＴ１において、スイッチ１０の代わりにスイッチ２０を設けたものである。
【００６２】
スイッチ２０は、初期状態がＯＦＦであり、制御回路６の制御によって非可逆的にＯＮになる。
【００６３】
外部装置９０から送信される情報信号は、少なくとも２種類の信号を含む。一方の信号は、無線タグＴ２が保持する情報を問い合わせる質問信号であり、他方の信号は、無線タグＴ２の回路構成を非可逆的に変更する回路変更要求信号である。
【００６４】
ただし、実施例２における回路変更要求信号は、無線タグＴ２を動作可能状態から動作不可能状態にする遮断要求信号である。
【００６５】
無線タグＴ２の制御回路６が上記情報信号を受信すると、受信した情報信号の種類を判断する。情報信号が上記質問信号であれば、従来例と同様の制御を行い、応答信号を送信する。
【００６６】
一方、情報信号が、上記遮断要求信号であれば、制御回路６から制御信号を出力することによって、スイッチ２０を、非可逆的にＯＮにする。スイッチ２０がＯＮになると、コイル１の両端が短絡されるので、スイッチ２０と並列に接続されているコンデンサ２と他の回路とに電流が流れなくなり、無線タグＴ２は、動作可能状態から動作不可能状態に移行する。
【００６７】
次に、スイッチ２０の実現方法を説明する。
【００６８】
図６は、従来の静電駆動型カンチレバー式のＭＥＭＳスイッチ８０の構造を示す図である。
【００６９】
従来の静電駆動型カンチレバー式のＭＥＭＳスイッチ８０の動作原理は公知であるので、以下では簡単に説明する。
【００７０】
図６（１）は、上側から見た平面図であり、図６（２）は、図６（１）におけるＸ−Ｘ’平面から見た側面図であり、図６（３）は、図６（１）におけるＹ−Ｙ’平面から見た側面図である。また、図６（２）と図６（３）とは、スイッチ８０が初期状態である開放状態（ＯＦＦ）である場合のカンチレバー８７の位置を示し、図６（２’）と図６（３’）とは、スイッチ８０が短絡状態（ＯＮ）である場合におけるカンチレバー８７の位置を示す図である。
【００７１】
図６において、第１静電電極８６と、第２静電電極８３との間に、所定の電圧を加えると、２つの静電電極８６、８３間に、静電力が生じ、互いに引き合い、カンチレバー８７が基盤８１方向にたわむ。カンチレバー８７のたわみによって、導電体８５が信号線Ｌ１、Ｌ２に接触し、左右の信号線Ｌ１、Ｌ２が互いに導通されるので、スイッチ８０はＯＮする。
【００７２】
図５は、スイッチ２０の第１の実現方法を示す図であり、本実施例における静電駆動型カンチレバー式のＭＥＭＳスイッチの構造を示している。
【００７３】
図５は、スイッチ２０の構造を示す図である。
【００７４】
スイッチ２０は、従来のＭＥＭＳスイッチ８０と基本的には同じであるが、次の点が異なる。
【００７５】
まず、従来のＭＥＭＳスイッチ８０は、繰り返し（可逆的に）カンチレバー８７を上下させるので、カンチレバー８７の表面に、撥水加工を施したり突起を付ける等し、スティッキング（貼り付き）が起こらないようにしている。
【００７６】
実施例２におけるＭＥＭＳスイッチ２０は、カンチレバー２７の表面に、親水加工を施すか、または粘着性の物質を塗布する。これによって、カンチレバー２７は、非常にスティッキング（貼り付き）を起こし易くなる。
【００７７】
さらに、カンチレバー２７の支持部（基盤２１と接する部分）を非常に細くし、カンチレバー２７が容易にたわむようにする。これらの工夫によって、カンチレバー２７は、一度下がったら、必ずスティッキングを起こし、二度と上がらなくなる。つまり、非可逆的にＯＮになる。
【実施例３】
【００７８】
図７は、本発明の実施例３である無線タグＴ３を示す図である。
【００７９】
無線タグＴ３は、無線タグＴ１において、スイッチ１０の代わりにスイッチ３０を設けたものである。
【００８０】
スイッチ３０は、送信回路５と制御回路６との間に設けられ、初期状態がＯＦＦであり、制御回路６の制御によって非可逆的にＯＮになる。
【００８１】
外部装置９０から送信される情報信号には、少なくとも２種類の信号が含まれる。一方の信号は、無線タグＴ３が保持する情報を問い合わせる質問信号であり、他方の信号は、無線タグＴ３の回路構成を、非可逆的に変更する回路変更要求信号である。
【００８２】
ただし、実施例３における回路変更要求信号は、無線タグＴ３を送信不可能状態から送信可能状態にするための導通要求信号である。無線タグＴ３は、初期状態では、送信不可能状態にあるが、この状態でも、電力と情報信号との受信は可能である。
【００８３】
無線タグＴ３の制御回路６が、情報信号を受信すると、まず、情報信号の種類を判断する。情報信号が上記質問信号である場合は、従来例と同様に制御し、スイッチ３０がＯＮになっていれば、応答信号を送信する。初期状態では、スイッチ３０がＯＦＦであるので、送信回路５に制御信号が流れず、応答信号は、送信されない。
【００８４】
一方、上記情報信号が上記導通要求信号である場合、制御回路６から制御信号を出力することによって、スイッチ３０を、非可逆的にＯＮにする。スイッチ３０がＯＮになると、送信回路５に制御信号が流れるようになるので、無線タグＴ３は、送信不可能状態から、送信可能状態に移行する。
【００８５】
なお、スイッチ３０と同様のスイッチを、電源回路３と送信回路５との間にも配置し、スイッチ３０と連動してＯＮになるように制御してもよい。この場合、送信不可能状態における電力消費量が減少する。
【００８６】
スイッチ３０は、実施例２で説明したように、図５に示すＭＥＭＳスイッチ２０を用いて実現することができる。
【実施例４】
【００８７】
図８は、本発明の実施例４である無線タグＴ４を示す図である。
【００８８】
無線タグＴ４は、実施例１と実施例３とを組み合わせた実施例である。
【００８９】
無線タグＴ４は、無線タグＴ４の制御回路６が、３種類の情報信号を受信する点が、無線タグＴ１〜無線タグＴ３とは異なる。無線タグＴ４の制御回路６が受信する情報信号は、質問信号、導通要求信号、遮断要求信号である。
【００９０】
無線タグＴ４の制御回路６が情報信号を受信すると、まず、受信した情報信号の種類を判断する。
【００９１】
情報信号が質問信号である場合、従来例と同様に制御し、スイッチ３０がＯＮであれば、応答信号を送信する。初期状態では、スイッチ３０がＯＦＦであるので、送信回路５に制御信号が流れず、応答信号は送信されない。
【００９２】
一方、情報信号が導通要求信号であれば、制御回路６から制御信号を出力することによって、スイッチ３０を非可逆的にＯＮにする。スイッチ３０がＯＮすると、送信回路５に制御信号が流れるので、無線タグＴ４は、送信不可能状態から送信可能状態に移行する。
【００９３】
さらに、情報信号が遮断要求信号である場合、制御回路６から制御信号を出力することによって、スイッチ１０を非可逆的にＯＦＦにし、スイッチ１０がＯＦＦになると、それまで導通していたコイル１と他の回路との間の信号線が遮断されるので、無線タグＴ４は、電気的な動作（電力受給や情報信号受信等）が一切不可能になり、動作可能状態から動作不可能状態に移行する。
【００９４】
つまり、無線タグＴ４において、その動作開始（送信不可能状態から送信可能状態へ移行）と、動作終了（動作可能状態から動作不可能状態へ移行）とを、非可逆的に制御することができる。
【実施例５】
【００９５】
図９は、本発明の実施例５である無線タグＴ５を示す図である。
【００９６】
無線タグＴ５は、基本的には、無線タグＴ４と同じであるが、無線タグＴ４において、スイッチ１０の代わりに、スイッチ２０が設けられている点のみが、無線タグＴ４とは異なる。
【００９７】
また、無線タグＴ５の動作も、基本的には、無線タグＴ４における動作と同じであるが、情報信号が遮断要求信号である場合の動作のみが、無線タグＴ４とは異なる。つまり、情報信号が遮断要求信号である場合、制御回路６から制御信号を出力することによって、スイッチ２０を非可逆的にＯＮにする。無線タグＴ５では、スイッチ２０がＯＮになると、コイル１の両端が短絡されるので、スイッチ２０と並列に接続されているコンデンサ２と他の回路とに電流が流れなくなり、無線タグＴ５は、動作可能状態から動作不可能状態に移行する。
【００９８】
つまり、無線タグＴ５では、無線タグＴ５の動作開始（送信不可能状態から送信可能状態へ移行）と、動作終了（動作可能状態から動作不可能状態へ移行）とを、非可逆的に制御することができる。
【実施例６】
【００９９】
図１０は、本発明の実施例６である無線タグＴ６を示す図である。
【０１００】
無線タグＴ６は、無線タグＴ１において、スイッチ１０の代わりにスイッチ４０を設けたものである。
【０１０１】
スイッチ４０は、初期状態がＯＮであり、制御回路６の制御によって、非可逆的にＯＦＦになる。メモリ７は、第１のメモリ（たとえばＲＯＭ）７１と、第２のメモリ（たとえばＦｌａｓｈ  ＲＯＭ）７２とによって構成され、第１のメモリ７１は、制御回路６と直接、接続され、第２のメモリ７２は、スイッチ４０を介して、制御回路６と接続されている。
【０１０２】
無線タグＴ６において、外部装置９０から送信される情報信号に、少なくとも２種類の信号が含まれる。一方の信号は、無線タグＴ６が保持する情報を問い合わせる質問信号であり、他方の信号は、無線タグＴ６の回路構成を非可逆的に変更する回路変更要求信号である。ただし、無線タグＴ６における回路変更要求信号は、メモリ７に設けられている第２のメモリ（Ｆｌａｓｈ  ＲＯＭ）７２を、動作可能状態から動作不可能状態にする遮断要求信号である。
【０１０３】
無線タグＴ６に設けられている制御回路６が情報信号を受信すると、まず、情報信号の種類を判断する。情報信号が質問信号である場合、応答信号を送信する。
【０１０４】
一方、情報信号が遮断要求信号である場合、制御回路６から制御信号を出力することによって、スイッチ４０を非可逆的にＯＦＦにする。スイッチ４０がＯＦＦすると、それまで導通していた制御回路６と、メモリ７の第２のメモリ（Ｆｌａｓｈ  ＲＯＭ）７２との間の信号線が遮断されるので、メモリ７の第２のメモリ７２に保存されていた情報へのアクセスが不可能になる。
【０１０５】
スイッチ４０として、無線タグＴ１、Ｔ２で説明したように、図２、図３、図５に示すスイッチを用いてもよい。
【０１０６】
したがって、第１のメモリ（ＲＯＭ）７１に無線タグＴ６の識別情報を記憶し、第２のメモリ（Ｆｌａｓｈ  ＲＯＭ）７２にユーザ情報等の付加情報を記憶すれば、上記のように、第２のメモリ（Ｆｌａｓｈ  ＲＯＭ）７２だけアクセス不可能にすることができ、付加情報を完全に隠蔽することができる。
【０１０７】
無線タグＴ１〜Ｔ６によれば、ユーザ（運用者）の要求に応じて、無線タグＴ１〜Ｔ６の回路構成を非可逆的に変更することができ、より具体的には、以下に例示する効果がある。
（１）使用期間を過ぎるかまたは使用目的を失った無線タグＴ１〜Ｔ６の動作を終了させることができるので、近接した他の無線タグへの電磁波干渉を阻止することができる。
（２）使用期間を過ぎるかまたは使用目的を失った無線タグＴ１〜Ｔ６の動作を終了させることができるので、外部装置９０の負荷を減らすことができる。
（３）無線タグＴ１〜Ｔ６に含まれている情報を完全に隠蔽できるので、個人情報や機密情報に関連する情報を、第三者に不当に読み取られる恐れがない。
（４）無線タグＴ１〜Ｔ６の動作開始と動作終了とを、外部装置９０から非可逆的に制御できるので、イベント開催期間等の一定期間のみ、無線タグＴ１〜Ｔ６を使用可能にすることができる。
【実施例７】
【０１０８】
ところで、上記従来技術では、電池を内蔵しているので、サイズと重量が大きくなりやすいという欠点がある。一般に、電池の使用時間を伸ばそうとする程、（蓄電容量を増やそうとする程）、電池サイズが大型化するので、能動型無線タグのサイズは、受動型無線タグのサイズと比べて、遥かに大きくなり易い。このため、センサ内臓の能動型無線タグは大型の物品には利用できるが、小型または薄型の物品に利用することはサイズおよび重量的に困難であるという問題がある。
【０１０９】
本発明は、電池およびタイマを内蔵する無線タグにおいて、非常に小型かつ軽量な電池で、長時間動作可能な構成、つまり電池の消費電力が極めて低い回路構成を持つ無線タグを提供することを目的とする。
【０１１０】
図１１は、本発明の実施例７である無線タグＴ７を示す図である。
【０１１１】
無線タグＴ７は、無線タグＴ１において、スイッチ１０の代わりにスイッチ１０ｂ、１０ｃを設け、メモリ７の代わりに、メモリ７ａ、７ｂ、７ｃを設け、また、特定電源５１、タイマ５２、スイッチ制御回路５３を追加したものである。
【０１１２】
メモリ７ａ、７ｂ、７ｃは、それぞれ制御回路６と独立に接続されている。メモリ７ａは、制御回路６と直接接続され、メモリ７ｂは、スイッチ１０ｂを介して、制御回路６と接続され、メモリ７ｃは、スイッチ１０ｃを介して、制御回路６と接続されている。
【０１１３】
なお、無線タグＴ７では、メモリ７を３分割し、そのうちの２つのメモリ（７ｂ、７ｃ）の前段に、スイッチ１０ｂ、１０ｃを配置しているが、メモリ７は、いくつに分割されていてもよく、また、いずれのメモリの前段に、スイッチが配置されていてもよい。
【０１１４】
範囲Ｒ１は、電源回路３から電力が供給される範囲である。上記のように、電源回路３は、外部装置９０から送信された電磁波を電力に変換することによって、範囲Ｒ１内の回路に電力を供給する。
【０１１５】
特定電源５１は、タイマ５２、スイッチ制御回路５３、スイッチ１０ｂ、１０ｃに、常時電力供給を行う。
【０１１６】
タイマ５２は、水晶発振器等を用いた現在時刻測定部と、予め設定された時刻を記憶する設定時刻記憶部と、現在時刻と設定時刻とを比較する時刻比較部とによって構成され、現在時刻が設定時刻に達した場合、スイッチ制御回路５３に、設定時刻到来通知を行う。タイマ５２へ、設定時刻を設定する方法については、後述する。
【０１１７】
スイッチ制御回路５３は、タイマ５２から設定時刻到来通知を受けると、予め決められたスイッチ切換規則に基づいて、スイッチ１０ｂ、１０ｃに、切り換えの指示を出す。スイッチ１０ｂ、１０ｃは、スイッチ制御回路５３の指示に基づいて、ＯＮまたはＯＦＦ状態に、スイッチを切り換える。スイッチ制御回路５３へ、スイッチ切換規則を設定する方法については、後述する。
【０１１８】
スイッチ１０ｂ、１０ｃを切り換えることによって、制御回路６とメモリ７ｂとの間の接続状態と、制御回路６とメモリ７ｃとの間の接続状態とが変わる。したがって、メモリ７ｂ、７ｃに、互いに異なる制御情報を記憶しておけば、無線タグＴ７の制御方法を、所定の時刻または所定の時間周期毎に、切り換えることができる。たとえば、１日の時間帯または１年の季節に応じて、無線タグＴ７から読み出す情報の種類、または無線タグＴ７に書き込む情報の種類を、自動的に変更することができる。
【０１１９】
タイマ５２への設定時刻設定方法、スイッチ制御回路５３へのスイッチ切換規則設定方法には、以下の２つの方法がある。
【０１２０】
１つ目のスイッチ切換規則設定方法は、タイマ５２とスイッチ制御回路５３とに、読み出し専用メモリ（ＲＯＭ）を内蔵し、無線タグＴ７の製造時に、これらのＲＯＭに、設定時刻とスイッチ切換規則とを書き込む方法である。タイマ５２とスイッチ制御回路５３とが使用する読み出し専用メモリは、それぞれ、独立に内蔵してもよく、また、１つにまとめて共有させるようにしてもよい。この方法は、製造時に、設定時刻とスイッチ切換規則とを決めることができる場合に、有効である。
【０１２１】
２つ目のスイッチ切換規則設定方法は、タイマ５２とスイッチ制御回路５３とに、書き換え可能メモリ（たとえばレジスタ）を内蔵し、外部装置９０から要求があった場合に、この書き換え可能メモリに、設定時刻とスイッチ切換規則とを書き込む方法である。タイマ５２とスイッチ制御回路５３とが使用する書き換え可能メモリは、それぞれ、独立に内蔵するようにしてもよく、１つにまとめて共有させるようにしてもよい。この方法は、外部装置９０を使用することによって、ユーザが無線タグＴ７に、任意の時刻、時間周期、スイッチ切換規則を設定できるので、どのような状況にも対応できる。
【０１２２】
なお、タイマ５２とスイッチ制御回路５３とが必要とするメモリ容量は、時刻、時間周期、スイッチ切換規則を記憶させるだけのわずかな量で足りる。
【０１２３】
タイマ５２とスイッチ制御回路５３とに、書き換え可能メモリを使用する場合、外部装置９０から送信される情報信号には、少なくとも２種類の信号が含まれる。１種類目の信号は、無線タグＴ７が保持する情報を問い合わせる質問信号であり、２種類目の信号は、タイマ５２とスイッチ制御回路５３との書き換え可能メモリに、時刻、時間周期、スイッチ切換規則を書き込む設定信号である。さらに詳細には、設定信号は、時刻を設定する時刻設定信号、時間周期を設定する時間周期設定信号、スイッチ切換規則を設定する切換規則設定信号に分けることができる。
【０１２４】
無線タグＴ７の制御回路６が、情報信号を受信すると、まず、情報信号の種類を判断する。情報信号が、質問信号であれば、従来例と同様に制御し、応答信号を送信する。
【０１２５】
一方、情報信号が、設定信号であれば、制御回路６は、スイッチ制御回路５３に、設定信号を渡す。スイッチ制御回路５３は、設定信号の種類を判別し、次の処理を行う。
【０１２６】
設定信号が、時刻設定信号であれば、スイッチ制御回路５３は、時刻設定信号から設定時刻を取り出し、タイマ５２の設定時刻記憶部に、設定時刻を書き込む。
【０１２７】
設定信号が、時間周期設定信号であれば、スイッチ制御回路５３は、時間周期設定信号から、時間周期を取り出し、スイッチ制御回路５３の書き換えメモリに、時間周期を記憶する。
【０１２８】
次に、タイマ５２の現在時刻測定部から、現在時刻を読み出し、現在時刻に時間周期を加算し、設定時刻を求め、タイマ５２の設定時刻記憶部に、設定時刻を書き込む。この場合、タイマ５２から設定時刻到来通知を受けた後も、再び次の設定時刻（現在時刻＋時間周期）を計算し、タイマ５２へ設定時刻の再書き込みを行う。このようにして、所定の時間周期毎に、タイマ５２から設定時刻到来通知を受けることができる。
【０１２９】
設定信号が、切換規則設定信号であれば、スイッチ制御回路５３は、切換規則設定信号からスイッチ切換規則を取り出し、スイッチ制御回路５３の書き換え可能メモリに、スイッチ切換規則を書き込む。
【０１３０】
上記方法によって、タイマ５２とスイッチ制御回路５３とに、時刻、時間周期、スイッチ切換規則を設定することができる。
【０１３１】
また、スイッチ１０ｂ、１０ｃとして、図５に示すスイッチ２０を使用して、実現するようにしてもよい。
【０１３２】
なお、図５に示すスイッチ２０におけるＭＥＭＳスイッチの例として、カンチレバー式ではない静電駆動型ＭＥＭＳスイッチや、圧電体の圧電歪効果を用いる圧電駆動型ＭＥＭＳスイッチや、永久磁石と誘電磁界との相互作用（磁界の引力／反発力）を用いた磁界駆動型ＭＥＭＳスイッチ等が知られている。
【０１３３】
静電駆動型ＭＥＭＳスイッチ、または圧電駆動型ＭＥＭＳスイッチは、スイッチの駆動力（ＯＮ／ＯＦＦを切り換えるための力）と、保持力（ＯＮ／ＯＦＦ状態を保つための力）とを出すために、所定の電圧のみを必要とし、電流を必要としないので、理論上は、消費電力は０である。ただし、現実には、回路上の寄生容量の影響等によって、僅かにリーク電流が流れるので、消費電力は完全に０ではない。
【０１３４】
一方、磁界駆動型ＭＥＭＳスイッチは、スイッチの駆動力を出すために所定の電圧と電流とを必要とするが、スイッチの保持力として永久磁石の引力を利用するので、総合的な消費電力は極めて小さい。
【０１３５】
いずれにしても、これらのＭＥＭＳスイッチを使用することによって、スイッチ１０ｂ、１０ｃとの消費電力を、極めて小さくすることができる。
【０１３６】
また、タイマ５２とスイッチ制御回路５３とは、無線タグＴ７の他の構成要素と比べて、単純な機能しか実装しないので、消費電力が比較的小さい。
【０１３７】
上記のように、無線タグＴ７によれば、特定電源５１から電力を供給する部分を、タイマ５２、スイッチ制御回路５３、スイッチ１０ｂ、１０ｃという比較的消費電力が少ない回路にのみ限定することによって、特定電源の蓄電容量が小さくても、無線タグＴ７を長時間動作させることができる。
【実施例８】
【０１３８】
図１２は、本発明の実施例８である無線タグＴ８を示す図である。
【０１３９】
無線タグＴ８は、無線タグＴ７において、スイッチ１０ｂ、１０ｃの代わりに、スイッチ５０を設け、メモリ７ａ、７ｂ、７ｃの代わりに、メモリ７を設けたものである。
【０１４０】
範囲Ｒ２は、電源回路３から電力が供給される範囲である。
【０１４１】
無線タグＴ８において、メモリ７は、分割されておらず、制御回路６と直接接続されている。スイッチ５０は、制御回路６と送信回路５との間に設置され、送信信号の送信可能状態または送信不可能状態を切り換えることができる。特定電源５１は、タイマ５２、スイッチ制御回路５３、スイッチ５０のみに、常時電力を供給する。その他の部分は、無線タグＴ７の構成と同様の構成である。
【０１４２】
無線タグＴ８において、タイマ５２に設定した所定の時刻または所定の時間周期毎に、スイッチ５０を切り換えることによって、制御回路６と送信回路５との間の接続状態が変わり、送信信号の送信可能状態または送信不可能状態を、自動的に切り換えることができる。
【０１４３】
つまり、無線タグＴ８において、所定の時刻に達したら、無線タグＴ８が外部装置９０に対して無応答になるように設定したり、または、所定の時間周期毎に、無線タグＴ８が外部装置９０に、応答または無応答を自動的に切り換えるように設定することができる。たとえば、１日の時間帯または１年の季節に応じて、無線タグＴ８の応答状態を、自動的に変更することができる。したがって、イベント開催中だけ応答するような無線タグＴ８を実現することが容易であり、無線タグＴ８の適用範囲が広がる。
【実施例９】
【０１４４】
図１３は、本発明の実施例９である無線タグＴ９を示す図である。
【０１４５】
無線タグＴ９は、無線タグＴ８において、スイッチ５０の代わりに、スイッチ６０を設けたものである。
【０１４６】
範囲Ｒ３は、電源回路３から電力が供給される範囲である。
【０１４７】
無線タグＴ９において、メモリ７は、分割されておらず、制御回路６と直接接続されている。スイッチ６０は、コイル１とコンデンサ２との間に設置され、無線タグＴ９の動作可能状態または動作不可能状態を切り換えることができる。特定電源５１は、タイマ５２、スイッチ制御回路５３、スイッチ６０のみに、常時電力を供給する。その他の部分は、無線タグＴ８と同様である。
【０１４８】
タイマ５２に設定した所定の時刻または所定の時間周期毎に、スイッチ６０を切り換えることによって、コイル１とコンデンサ２との間の接続状態が変わり、外部装置９０から送信された電磁波（電力および情報信号）の受信が可能または不可能になる。つまり、所定の時刻に達したら、無線タグＴ９が外部装置９０に全く無反応になるように設定し、または、所定の時間周期毎に、無線タグＴ９が外部装置９０に、反応または無反応を、自動的に切り換えるように設定することができる。たとえば、１日の時間帯または１年の季節に応じて、無線タグＴ９の反応状態を自動的に変更することができる。したがって、イベント開催中だけ反応するような無線タグＴ９を実現することが容易であり、無線タグＴ９の適用範囲が広がる。
【０１４９】
無線タグＴ９と無線タグＴ８との差異は、無線タグＴ９の全体が停止するか、または送信回路５だけが停止するかの差である。無線タグＴ９において、無線タグＴ９全体が停止すると、外部装置９０から送信された電磁波を利用して電力を生成することがなく、近傍に他の無線タグがあっても、電波干渉を起こすことがない。この点において、無線タグＴ９は、無線タグＴ８よりも勝っている。
【実施例１０】
【０１５０】
図１４は、本発明の実施例１０である無線タグＴ１０を示す図である。
【０１５１】
無線タグＴ１０は、基本的には、無線タグＴ１と同じであり、無線タグＴ１において、スイッチ１０の代わりに、スイッチ７０を設けた点のみが、無線タグＴ１と異なる。
【０１５２】
スイッチ７０は、初期状態がＯＮであり、後述するように、外部から一定レベル以上の刺激を受けると、非可逆的にＯＦＦになる（切断される）。スイッチ７０が、ＯＦＦになると、それまで導通していたコイル１と他の回路との間の信号線が遮断されるので、無線タグＴ１０は、電気的な動作（電力受給や情報信号受信等）が一切不可能になり、動作可能状態から動作不可能状態に移行する。
【０１５３】
なお、スイッチ７０の配置場所は、必ずしもコイル１と他の回路との間でなくてもよく、コイル１の途中、コンデンサ２に直列に隣接する位置、電源回路３の内部、電源回路３から出力される電力線上等に、スイッチ７０を配置するようにしてもよく、このようにしても、上記と同様の効果を得ることができる。
【０１５４】
ただし、スイッチ７０を、電源回路３の内部、または電源回路３から出力される電力線上に配置すると、無線タグＴ１０の回路全体に電力が供給されなくなるので、無線タグＴ１０が動作不可能状態になる。この場合、電源回路３の一部と、受信回路４の一部とは、不完全ながら動作を続ける可能性があるので、図１４に示す位置、コイル１の途中または、コンデンサ２に直列に隣接する位置のいずれかに、スイッチ７０を配置することが好ましい。
【０１５５】
次に、スイッチ７０の実現方法について、説明する。
【０１５６】
図１５は、スイッチ７０を実現したスイッチ７０ａを示す図である。
【０１５７】
スイッチ７０ａにおいて、配線７１は、他の配線よりも切れやすく作られている。切れやすくする方法としては、線幅を細くする、線に切れ込みを入れる、機械的強度が弱い導電体を用いる等の方法がある。重り７２は、配線７１上に取り付けられ、外部から圧力、振動または衝撃を受けた際に、その重さに比例した慣性力が働き、配線７１が容易に切れる。
【０１５８】
配線７１の切れやすさと、重り７２の重さとを、予め（設計時または調整時に）、適切な値に設定しておけば、外部から一定レベル以上の圧力、振動または衝撃を受けたときのみ、配線７１が切断される。
【０１５９】
図１６は、スイッチ７０を実現したスイッチ７０ｂを示す図である。
【０１６０】
スイッチ７０ｂにおいて、発火装置７３は、一定レベル以上の温度に達すると、自然発火し、その燃焼熱によって配線７１を切断する。安全性の観点から、より少ない燃焼熱で配線７１を焼き切ることが好ましいので、配線７１は、他の配線よりも熱に弱い材質で作られていることが望ましい。熱に弱い材質として、たとえば、導電性有機材料または比較的融点の低い金属類（アルカリ金属、両性金属またはその合金）等がある。または、配線７１の線幅を細くするだけでも、焼き切れやすくなる。
【０１６１】
発火装置７３として、たとえば、少量の火薬を収めた小型カプセルを用いることができる。この場合、火薬の成分を調整することによって、自然発火が起こる温度を調整することができる。このようにして、外部から一定レベル以上の熱を受けたときだけ、発火装置７３が自然発火し、配線７１が切断される。
【０１６２】
図１７は、スイッチ７０を実現したスイッチ７０ｃを示す図である。
【０１６３】
スイッチ７０ｃにおいて、配線７１は、図１５に示す配線と同様に、他の配線よりも切れやすく作られている。熱変形樹脂７４は、配線７１とスイッチ７０との内壁の一部を覆うように取り付けられている。熱変形樹脂７４が、外部から一定レベル以上の熱を受けると、この熱によって、非可逆的に変形（同図では収縮）し、配線７１を切断する。
【０１６４】
熱変形樹脂７４の例として、熱収縮樹脂であるポリ塩化ビニル系樹脂、ポリエステル系樹脂、ポリオレフィン系樹脂、ポリスチレン系樹脂、フッ素系樹脂等が挙げられる。これらの材料を適切に選ぶことによって、熱変形が起こる温度を調整することができる。
【実施例１１】
【０１６５】
図１８は、本発明の実施例１１である無線タグＴ１１を示す図である。
【０１６６】
無線タグＴ１１は、基本的には、無線タグＴ１０と同じであり、無線タグＴ１０において、スイッチ７０の代わりに、スイッチ７６を設けた点のみが、無線タグＴ１０とは異なる。
【０１６７】
無線タグＴ１１において、スイッチ７６は、初期状態がＯＮであり、図１５〜図１７を用いて説明したように、外部から一定レベル以上の刺激を受けると、非可逆的にＯＦＦになる（切断される）。スイッチ７６が、ＯＦＦになると、それまで短絡されていたコイル１の両端が開放されるので、スイッチ７６と並列に接続されているコンデンサ２と他の回路とに電流が流れ、無線タグＴ１１は、動作不可能状態から動作可能状態に移行する。
【実施例１２】
【０１６８】
図１９は、本発明の実施例１２である無線タグＴ１２を示す図である。
【０１６９】
無線タグＴ１２は、基本的には、無線タグＴ１０と同じであり、無線タグＴ１０において、スイッチ７０の代わりに、スイッチ７７を設けた点のみが、無線タグＴ１０とは異なる。
【０１７０】
無線タグＴ１２において、メモリ７は、第１のメモリ（たとえばＲＯＭ）７１と第２のメモリ（Ｆｌａｓｈ  ＲＯＭ）７２とによって構成され、第１のメモリ７１は、制御回路６と直接、接続され、第２のメモリ７２は、スイッチ７７を介して、制御回路６と接続されている。
【０１７１】
無線タグＴ１２において、スイッチ７７は、初期状態がＯＮであり、図１５〜図１７を用いて説明したように、外部から一定レベル以上の刺激を受けると、非可逆的にＯＦＦになる（切断される）。スイッチ７７がＯＦＦになると、それまで導通していた制御回路６とメモリ７の第２のメモリ（Ｆｌａｓｈ  ＲＯＭ）７２との間の信号線が遮断されるので、メモリ７の第２のメモリ７２に保存されている情報へのアクセスが不可能になる。
【０１７２】
したがって、第１のメモリ（ＲＯＭ）７１に、無線タグＴ１２の識別情報を記憶し、第２のメモリ（Ｆｌａｓｈ  ＲＯＭ）７２に、ユーザ情報等の付加情報を記憶すれば、上記のように、外部からの刺激によって、第２のメモリ（Ｆｌａｓｈ  ＲＯＭ）７２だけ、アクセス不可能にすることができ、付加情報がアクセスできない状態にすることができる。
【図面の簡単な説明】
【０１７３】
【図１】本発明の実施例１である無線タグＴ１を示す図である。
【図２】スイッチ１０の第１の実現方法を示す図である。
【図３】スイッチ１０の変形例であるスイッチ１０ａを示す図である。
【図４】本発明の実施例２である無線タグＴ２を示す図である。
【図５】スイッチ２０の構造を示す図である。
【図６】従来の静電駆動型カンチレバー式のＭＥＭＳスイッチ８０の構造を示す図である。
【図７】本発明の実施例３である無線タグＴ３を示す図である。
【図８】本発明の実施例４である無線タグＴ４を示す図である。
【図９】本発明の実施例５である無線タグＴ５を示す図である。
【図１０】本発明の実施例６である無線タグＴ６を示す図である。
【図１１】本発明の実施例７である無線タグＴ７を示す図である。
【図１２】本発明の実施例８である無線タグＴ８を示す図である。
【図１３】本発明の実施例９である無線タグＴ９を示す図である。
【図１４】本発明の実施例１０である無線タグＴ１０を示す図である。
【図１５】スイッチ７０を実現したスイッチ７０ａを示す図である。
【図１６】スイッチ７０を実現したスイッチ７０ｂを示す図である。
【図１７】スイッチ７０を実現したスイッチ７０ｃを示す図である。
【図１８】本発明の実施例１１である無線タグＴ１１を示す図である。
【図１９】本発明の実施例１２である無線タグＴ１２を示す図である。
【図２０】従来の無線タグＴ２０の概略構成を示す図である。
【符号の説明】
【０１７４】
Ｔ１〜Ｔ１２…無線タグ、
３…電源回路、
４…受信回路、
５…送信回路、
６…制御回路、
７、７１、７２…メモリ、
１０、１０ａ、１０ｂ、１０ｃ、２０、３０、４０、５０、６０、７０、７０ａ、７０ｂ、７０ｃ、７６、７７…スイッチ、
５１…特定電源、
５２…タイマ、
５３…スイッチ制御回路、
９０…外部装置。
【図１】
2006058928.tif 000003
【図２】
2006058928.tif 000004
【図３】
2006058928.tif 000005
【図４】
2006058928.tif 000006
【図５】
2006058928.tif 000007
【図６】
2006058928.tif 000008
【図７】
2006058928.tif 000009
【図８】
2006058928.tif 000010
【図９】
2006058928.tif 000011
【図１０】
2006058928.tif 000012
【図１１】
2006058928.tif 000013
【図１２】
2006058928.tif 000014
【図１３】
2006058928.tif 000015
【図１４】
2006058928.tif 000016
【図１５】
2006058928.tif 000017
【図１６】
2006058928.tif 000018
【図１７】
2006058928.tif 000019
【図１８】
2006058928.tif 000020
【図１９】
2006058928.tif 000021
【図２０】
2006058928.tif 000022